【手続補正書】
【提出日】平成16年11月1日(2004.11.1)
【手続補正１】
【補正対象書類名】明細書
【補正対象項目名】特許請求の範囲
【補正方法】変更
【補正の内容】
【特許請求の範囲】
【請求項１】
第１の演奏データをハードウェア固有フォーマットの第２の演奏データに変換する外部のシステム制御手段、および、該第２の演奏データを記憶する外部の記憶手段にそれぞれ接続され、該外部の記憶手段から供給される該第２の演奏データに基づいて楽音再生を行う楽音再生装置であって、
前記第１の演奏データは、イベントの内容を表すイベント情報とイベントが生起する時刻を前イベントとの時間間隔で表すデュレーション情報とからなると共に、前記第２の演奏データは、ハードウェア固有フォーマットのイベントデータとデュレーションデータとからなり、
前記外部の記憶手段から所定量ずつ順次供給される前記第２の演奏データを一時的に記憶する一時記憶手段と、
前記一時記憶手段に一時的に記憶された前記第２の演奏データにおける前記デュレーションデータを積算する加算カウンタ手段であり、該加算カウンタ手段のカウント値は該デュレーションデータに対応するイベントデータに基づく楽音を発生させる時刻を示す、前記加算カウンタ手段と、
絶対時間を示すカウント値を、単位時間間隔でカウントアップする時間カウンタ手段と、
前記時間カウンタ手段のカウント値と前記加算カウンタ手段のカウント値を比較し、この比較結果に基づいて、前記一時記憶手段に記憶された前記第２の演奏データにおける積算された前記デュレーションデータに対応する前記イベントデータを前記一時記憶手段から読み出すように制御する読み出し制御手段と、
前記一時記憶手段から読み出された該イベントデータに基づいた楽音を再生する音源手段と、
を備えることを特徴とする楽音再生装置。
【請求項２】
前記読み出し制御手段は前記時間カウンタ手段のカウント値が、前記加算カウンタ手段のカウント値以上となった際に、前記イベントデータを前記一時記憶手段から読み出すことを特徴とする請求項１に記載の楽音再生装置。
【請求項３】
第１の演奏データをハードウェア固有フォーマットの第２の演奏データに変換する外部のシステム制御手段、および、該第２の演奏データを記憶する外部の記憶手段にそれぞれ接続され、該外部の記憶手段から供給される該第２の演奏データに基づいて楽音再生を行う楽音再生装置であって、
前記第１の演奏データは、イベントの内容を表すイベント情報とイベントが生起する時刻を前イベントとの時間間隔で表すデュレーション情報とからなると共に、前記第２の演奏データは、ハードウェア固有フォーマットのイベントデータとデュレーションデータとからなり、
前記外部のシステム制御手段によって該楽音の再生前に予め前記第２の演奏データに基づき生成され、前記外部の記憶手段に記憶されているデュレーションデータとイベントデータを含む制御データが、該楽音の再生時に、前記外部の記憶手段から所定量ずつ順次供給され一時的に記憶する一時記憶手段と、
前記一時記憶手段に一時的に記憶された前記制御データに含まれるデュレーションデータを積算する加算カウンタ手段であり、該加算カウンタ手段のカウント値は該デュレーションデータに対応する該イベントデータに基づく楽音を発生させる時刻を示す、前記加算カウント手段と、
絶対時間を示すカウント値を、単位時間間隔でカウントアップする時間カウンタ手段と、
前記時間カウンタ手段のカウント値と前記加算カウンタ手段のカウント値を比較し、この比較結果に基づいて、前記一時記憶手段に記憶された前記制御データにおける積算された前記デュレーションデータに対応する前記イベントデータを前記一時記憶手段から読み出すように制御する読み出し制御手段と、
前記一時記憶手段から読み出された該イベントデータに基づいた楽音を再生する音源手段と、
を備えることを特徴とする楽音再生装置。
【請求項４】
請求項１に記載の楽音再生装置を備える携帯端末装置であって、
前記システム制御手段は、携帯端末機能処理をメイン処理として実行することを特徴とする携帯端末装置。
【請求項５】
第１の演奏データをハードウェア固有フォーマットの第２の演奏データに変換する楽音再生処理以外の処理をメイン処理とする外部のシステム制御手段、および、該第２の演奏データを記憶する外部の記憶手段にそれぞれ接続され、該外部の記憶手段から供給される該第２の演奏データに基づいて楽音再生を行う楽音再生装置における楽音再生方法であって、
前記第１の演奏データは、イベントの内容を表すイベント情報とイベントが生起する時刻を前イベントとの時間間隔で表すデュレーション情報とからなると共に、前記第２の演奏データは、ハードウェア固有フォーマットのイベントデータとデュレーションデータとからなり、
前記外部の記憶手段から所定量ずつ順次供給される前記第２の演奏データを一時的に一時記憶手段に記憶する一時記憶ステップと、
前記一時記憶手段に一時的に記憶された前記第２の演奏データにおける前記デュレーションデータを積算する加算カウンタステップであり、該加算カウンタステップにおけるカウント値は該デュレーションデータに対応するイベントデータに基づく楽音を発生させる時刻を示す、前記加算カウンタステップと、
絶対時間を示すカウント値を、単位時間間隔でカウントアップする時間カウンタステップと、
前記時間カウンタステップにおけるカウント値と前記加算カウンタステップにおけるカウント値とを比較し、この比較結果に基づいて、前記一時記憶手段に記憶された前記第２の演奏データにおける積算された前記デュレーションデータに対応する前記イベントデータを前記一時記憶手段から読み出すように制御する読み出し制御ステップと、
前記一時記憶手段から読み出された該イベントデータに基づいた楽音を再生する再生ステップと、
を備えることを特徴とする楽音再生方法。
【手続補正２】
【補正対象書類名】明細書
【補正対象項目名】０００７
【補正方法】変更
【補正の内容】
【０００７】
【課題を解決するための手段】
上記目的を達成するために、本発明の楽音再生装置は、第１の演奏データをハードウェア固有フォーマットの第２の演奏データに変換する外部のシステム制御手段、および、該第２の演奏データを記憶する外部の記憶手段にそれぞれ接続され、該外部の記憶手段から供給される該第２の演奏データに基づいて楽音再生を行う楽音再生装置であって、前記第１の演奏データは、イベントの内容を表すイベント情報とイベントが生起する時刻を前イベントとの時間間隔で表すデュレーション情報とからなると共に、前記第２の演奏データは、ハードウェア固有フォーマットのイベントデータとデュレーションデータとからなり、前記外部の記憶手段から所定量ずつ順次供給される前記第２の演奏データを一時的に記憶する一時記憶手段と、前記一時記憶手段に一時的に記憶された前記第２の演奏データにおける前記デュレーションデータを積算する加算カウンタ手段であり、該加算カウンタ手段のカウント値は該デュレーションデータに対応するイベントデータに基づく楽音を発生させる時刻を示す、前記加算カウンタ手段と、絶対時間を示すカウント値を、単位時間間隔でカウントアップする時間カウンタ手段と、前記時間カウンタ手段のカウント値と前記加算カウンタ手段のカウント値を比較し、この比較結果に基づいて、前記一時記憶手段に記憶された前記第２の演奏データにおける積算された前記デュレーションデータに対応する前記イベントデータを前記一時記憶手段から読み出すように制御する読み出し制御手段と、前記一時記憶手段から読み出された該イベントデータに基づいた楽音を再生する音源手段とを備えている。
また、上記本発明の楽音再生装置において、前記読み出し制御手段は前記時間カウンタ手段のカウント値が、前記加算カウンタ手段のカウント値以上となった際に、前記イベントデータを前記一時記憶手段から読み出すようにしてもよい。
さらに、上記目的を達成することのできる本発明の他の楽音再生装置は、第１の演奏データをハードウェア固有フォーマットの第２の演奏データに変換する外部のシステム制御手段、および、該第２の演奏データを記憶する外部の記憶手段にそれぞれ接続され、該外部の記憶手段から供給される該第２の演奏データに基づいて楽音再生を行う楽音再生装置であって、前記第１の演奏データは、イベントの内容を表すイベント情報とイベントが生起する時刻を前イベントとの時間間隔で表すデュレーション情報とからなると共に、前記第２の演奏データは、ハードウェア固有フォーマットのイベントデータとデュレーションデータとからなり、前記外部のシステム制御手段によって該楽音の再生前に予め前記第２の演奏データに基づき生成され、前記外部の記憶手段に記憶されているデュレーションデータとイベントデータを含む制御データが、該楽音の再生時に、前記外部の記憶手段から所定量ずつ順次供給され一時的に記憶する一時記憶手段と、前記一時記憶手段に一時的に記憶された前記制御データに含まれるデュレーションデータを積算する加算カウンタ手段であり、該加算カウンタ手段のカウント値は該デュレーションデータに対応する該イベントデータに基づく楽音を発生させる時刻を示す、前記加算カウント手段と、絶対時間を示すカウント値を、単位時間間隔でカウントアップする時間カウンタ手段と、前記時間カウンタ手段のカウント値と前記加算カウンタ手段のカウント値を比較し、この比較結果に基づいて、前記一時記憶手段に記憶された前記制御データにおける積算された前記デュレーションデータに対応する前記イベントデータを前記一時記憶手段から読み出すように制御する読み出し制御手段と、前記一時記憶手段から読み出された該イベントデータに基づいた楽音を再生する音源手段とを備えている。
【手続補正３】
【補正対象書類名】明細書
【補正対象項目名】０００８
【補正方法】変更
【補正の内容】
【０００８】
次に、上記目的を達成することのできる本発明の携帯端末装置は、上記楽音再生装置を備える携帯端末装置であって、前記システム制御手段は、携帯端末機能処理をメイン処理として実行するようになされている。
次に、上記目的を達成することのできる本発明の楽音再生方法は、第１の演奏データをハードウェア固有フォーマットの第２の演奏データに変換する楽音再生処理以外の処理をメイン処理とする外部のシステム制御手段、および、該第２の演奏データを記憶する外部の記憶手段にそれぞれ接続され、該外部の記憶手段から供給される該第２の演奏データに基づいて楽音再生を行う楽音再生装置における楽音再生方法であって、前記第１の演奏データは、イベントの内容を表すイベント情報とイベントが生起する時刻を前イベントとの時間間隔で表すデュレーション情報とからなると共に、前記第２の演奏データは、ハードウェア固有フォーマットのイベントデータとデュレーションデータとからなり、前記外部の記憶手段から所定量ずつ順次供給される前記第２の演奏データを一時的に一時記憶手段に記憶する一時記憶ステップと、前記一時記憶手段に一時的に記憶された前記第２の演奏データにおける前記デュレーションデータを積算する加算カウンタステップであり、該加算カウンタステップにおけるカウント値は該デュレーションデータに対応するイベントデータに基づく楽音を発生させる時刻を示す、前記加算カウンタステップと、絶対時間を示すカウント値を、単位時間間隔でカウントアップする時間カウンタステップと、前記時間カウンタステップにおけるカウント値と前記加算カウンタステップにおけるカウント値とを比較し、この比較結果に基づいて、前記一時記憶手段に記憶された前記第２の演奏データにおける積算された前記デュレーションデータに対応する前記イベントデータを前記一時記憶手段から読み出すように制御する読み出し制御ステップと、前記一時記憶手段から読み出された該イベントデータに基づいた楽音を再生する再生ステップとを備えている。